(57)【特許請求の範囲】
【請求項１】
運転席後方の映像を映すミラーが該運転席の前方に配置された室内における画像表示装置であって、
前記運転席より後方に配置されたスクリーンと、
前記スクリーンにその後方から画像を投影する投影手段と、
前記ミラーの前面に配置されたシャッタと、
前記シャッタ及び前記スクリーンの光透過状態と光散乱状態を可逆的に且つそれぞれ同期的に変化させるとともに、前記スクリーンの光散乱状態に同期的に前記投影手段からの画像を投影させる制御部と、
を有し、
前記シャッタと前記スクリーンの少なくとも一方の光散乱状態が、不透過性の光散乱状態である
ことを特徴とする画像表示装置。
【請求項２】
前記投影手段は、
連続的に画像を投影する投影装置と、
前記画像の前記スクリーンへの投影を前記制御部からの同期信号に従って制御し、前記投影装置からの画像を前記スクリーンに投影させる第２のシャッタと、
を有するものであることを特徴とする、請求項１に記載の画像表示装置。
【請求項３】
さらに、前記室内の後部窓に、前記ミラーに配置された前記シャッタと同期して光透過状態と光散乱状態を可逆的に変化させる第３のシャッタを有することを特徴とする、請求項１または２に記載の画像表示装置。
【発明の詳細な説明】
【技術分野】
【０００１】
本発明は、表示装置に関し、特に、時分割的に、投射画像を表示し後方の映像を透過することができる表示装置に関する。
【背景技術】
【０００２】
自動車における前列シートの背面に、ドライバの後方視認を妨げないように例えば液晶表示装置のような小型の表示装置を配置して、乗客に動画像を視聴させるシステムが存在する。
【０００３】
既知の或る視線一致型の画像表示装置は、画像を投影する投影手段とその投影手段からの投影光を結像する表示スクリーン手段とを含んでいる。その画像表示装置は、その表示スクリーン手段を挾んで表示画像を観察する観察者と対向する位置に設定された撮影手段と、その表示スクリーン手段に印加される電気信号により光の透過状態を制御する制御手段と、その制御手段によりその表示スクリーン手段の光透過状態と光不透過状態を交互に切替え、光透過状態時にその撮影手段への起動を行い、かつ、その表示スクリーン手段が光透過状態時にその投影手段の画像投影を中断する手段と、を含んでいる。周期的に変動する観察者側の周囲光強度を検出してその周囲光強度が所定の値に到達したときに、撮影手段による画像入力が行われる。
【０００４】
既知の或る表示撮像装置では、スクリーンの裏面斜め後方にプロジェクタを配置して、ビデオ・カメラをスクリーン裏面に垂直に配置できるようにし、互いの配置により生じる投射映像や撮影像の光路の妨害をなくす。この時、スクリーンへの斜め後方からの投射映像の台形歪みを、逆台形歪み補正回路により予め逆補正し、正しい映像が表示されるようにする。これにより、投射と撮影の光軸をスクリーン面で一致させて対話者同士の視線を一致させると共に、斜め方向からの投射によって前面の対話者にプロジェクタの光源等の光が直接入り込まないようにする。又、プロジェクタとスクリーンの間にマスクを設け、撮影期間だけ遮光して光源等の映り込みを防止し、クリーンな撮影像を得る。それによって、対話者同士の視線を一致させ、同一場所で対話する感覚を味わえる表示空間を実現する。
【先行技術文献】
【特許文献】
【０００５】
【特許文献１】特許第３０１１４３９号公報（特開平４−０９６５８１号公報）
【特許文献２】特開平６−１３３３１１号公報
【発明の概要】
【発明が解決しようとする課題】
【０００６】
大型の表示装置を自動車の前列シートと後列シートの間に配置すると、その表示装置によってドライバの後方の視野が狭くなる。
【０００７】
発明者たちは、自動車内において表示画像に同期的にスクリーンを時分割的に不透明にし、残りの時間に外側の光を内側へ透過するようにスクリーンを透明にするよう制御すれば、自動車のドライバの後方の視認性を確保しつつ、スクリーンに投射画像を表示することができる、と認識した。
【０００８】
本発明の目的は、後方に投射画像を表示でき後方の映像を前に透過することができる表示装置を実現することである。
【課題を解決するための手段】
【０００９】
本発明の実施形態の一観点（特徴）によれば、画像表示装置は、運転席後方の映像を映すミラーが該運転席の前方に配置された室内における画像表示装置において、その運転席より後方に配置されたスクリーンと、そのスクリーンにその後方から画像を投影する投影手段と、そのミラーの前面に配置されたシャッタと、そのシャッタ及びそのスクリーンの光透過状態と光散乱状態を可逆的に且つそれぞれ同期的に変化させるとともに、そのスクリーンの光散乱状態に同期的にその投影手段からの画像を投影させる制御部と、を有する。シャッタとスクリーンの少なくとも一方の光散乱状態は、不透過性の光散乱状態である。
【発明の効果】
【００１０】
本発明の実施形態の一観点によれば、後方に投射画像を表示でき後方の映像を前に透過することができる表示装置を実現することができる。
【図面の簡単な説明】
【００１１】
【図１】図１は、実施形態による表示システムまたは表示装置の概略的構成の例を示している。
【図２】図２は、別の実施形態による表示システムまたは表示装置の概略的構成の例を示している。
【図３】図３は、図１および２の表示システムの概略的なブロック図の例を示している。
【図４】図４Ａ〜４Ｄは、図３の画像／外光切換制御装置によって生成されるパルス信号の波形の例を示している。図５Ａ〜５Ｄは、図３の画像／外光切換制御装置によって生成されるパルス信号の例を示している。図６Ａ〜６Ｄは、図３の画像／外光切換制御装置によって生成されるパルス信号の波形の例を示している。
【図５】図７は、情報処理機器によって実行される、画像表示のための制御のフローチャートの例を示している。
【図６】図８は、自動車が停車して運転されていない状態にある場合におけるスクリーン装置の可能な配置を示している。
【図７】図９Ａおよび９Ｂは、自動車の天井への取り付け形態の例を示すスクリーン装置のそれぞれ正面図および左側面図である。図９Ｃは、図９Ａおよび９Ｂに示されたヒンジ部材のより具体的な構成の例を示している。
【発明を実施するための形態】
【００１２】
発明の目的および利点は、請求の範囲に具体的に記載された構成要素および組み合わせによって実現され達成される。
前述の一般的な説明および以下の詳細な説明は、典型例および説明のためのものであって、本発明を限定するためのものではない。
【００１３】
本発明の非限定的な実施形態を、図面を参照して説明する。図面において、同様のコンポーネントおよび素子には同じ参照番号が付されている。
【００１４】
図１は、実施形態による、表示システムまたは表示装置１２の概略的構成（configuration）の例を示している。
【００１５】
図２は、図１の変形形態であり、別の実施形態による、表示システムまたは表示装置１４の概略的構成（configuration）の例を示している。
【００１６】
図３は、図１および２の表示システム１２または１４の概略的なブロック図の例を示している。
【００１７】
図１および３を参照すると、特に自動車２に適した表示システムまたは表示装置１２は、ビデオ用のプロジェクタ２１０と、例えば液晶シャッタ装置のようなシャッタ装置２３０および３３０と、例えば液晶反射型スクリーン装置のようなスクリーン装置３５０と、を含んでいる。表示システム１２は、さらに例えば液晶シャッタ装置のようなシャッタ装置３７０を含んでいてもよい。表示システム１２は、さらに外部照度検出用の照度センサ１２０を含んでいてもよい。プロジェクタ２１０は、例えば表示用の液晶パネルおよびレンズを含んでいてもよい（図示せず）。シャッタ装置２３０は、プロジェクタ２１０の出射口の前に配置されている。スクリーン装置３５０は、自動車２において概ね前後方向に前列シート（運転席）７０２の背面付近または前列シート７０２と後列シート７０４の間に配置され垂直方向に天井と前列シート７０２の間の空間に配置されている。スクリーン装置３５０は、視聴者としての乗客の視野方向に対してその角度が調整可能であってもよい。シャッタ装置３３０は、運転席の前方に配置され運転席後方からの映像を映すルーム・ミラー４０の前面に配置されている。シャッタ装置３７０は、自動車２のリア・ウィンドウ（後部窓）３０の内側に配置されている。
【００１８】
液晶シャッタ装置および液晶反射型スクリーン装置は、印加電圧に応じて、可逆的に光学的な散乱状態と透過状態の２つの状態を取る。液晶シャッタ装置および液晶反射型スクリーン装置は、例えば電圧の印可と非印加に応じて透過状態と不透過状態をとる日本板硝子製ウムフィルム（調光ガラス）を用いてもよい。液晶シャッタ装置は、例えば、高速液晶シャッタ装置であってもよい。
【００１９】
表示システム１２は、さらに、表示番組またはコンテンツの選択のための情報処理機器２００、および内側の画像の投射と外側の光または景色の内側への透過とを切り換えるための画像／外光切換制御装置３００を含んでいる。要素２１０、２３０、３３０、３５０、３７０、２００および３００は、電源（図示せず）から供給電力を受け取る。情報処理機器２００は、パーソナル・コンピュータ、またはオーディオ／ビデオ再生システムであってもよい。
【００２０】
情報処理機器２００は、操作キーを含む入力装置１１０および表示装置１１２を含んでいる。情報処理機器２００は、ドライバまたは乗客による入力装置１１０の操作ＯＰに従って、プロジェクタ２１０に再生された画像信号を供給する。プロジェクタ２１０は、情報処理機器２００からの画像信号に従って、表示画像を生成してスクリーン装置３５０に投射する。また、情報処理機器２００は、その操作ＯＰに従って、要素２１０、２３０、３３０、３５０、３７０およびに制御信号ＣＴＬを供給する。さらに、情報処理機器２００は、その操作ＯＰに従って、照度センサ１２０の照度の大きさに応じて、画像／外光切換制御装置３００に制御信号ＣＴＬを供給してもよい。
【００２１】
画像／外光切換制御装置３００は、情報処理機器２００からの制御信号ＣＴＬとしてのオン／オフ制御信号およびデューティ比に従って、シャッタ装置２３０、３３０、スクリーン装置３５０、シャッタ装置３７０を駆動するための対応するデューティ比のパルス信号ＰＳ＿Ａ、ＰＳ＿Ｂ、ＰＳ＿ＣおよびＰＳ＿Ｄを生成する。画像／外光切換制御装置３００は、さらに、情報処理機器２００からの制御信号ＣＴＬとしての同期信号に従って、パルス信号ＰＳ＿Ａ、ＰＳ＿Ｂ、ＰＳ＿ＣおよびＰＳ＿Ｄを生成してもよい。
【００２２】
シャッタ装置２３０は、パルス信号ＰＳ＿Ａに応答して、時分割的に、光透過状態でプロジェクタ２１０からの投射画像を透過させ、光散乱状態でその投射画像を遮断する。スクリーン装置３５０は、パルス信号ＰＳ＿Ｃに応答して、時分割的にパルス信号ＰＳ＿Ａに同期的に、光散乱状態で白濁してプロジェクタ２１０からシャッタ装置２３０を通過した投射画像を写映反射し、光透過状態で透明化して自動車２の外側から室内への光を透過させる。
【００２３】
シャッタ装置３３０は、パルス信号ＰＳ＿Ｂに応答して、時分割的にパルス信号ＰＳ＿Ａに同期的に、光散乱状態でルーム・ミラー４０へのスクリーン装置３５０の表示画像の入射を遮断し、光透過状態でリア・ウィンドウ３０およびスクリーン装置３５０を透過したルーム・ミラー４０による外側の光または景色の反射を透過する。シャッタ装置３７０は、使用される場合には、パルス信号ＰＳ＿Ｄに応答して、時分割的にパルス信号ＰＳ＿Ａに同期的に、光散乱状態でスクリーン装置３５０の表示画像の後方外側への漏れとリア・ウィンドウ３０を通した外側から景色の光を遮断し、光透過状態で外側の光または景色を透過する。シャッタ装置３７０による外側からの光の遮断によって、後方外側からの光がスクリーン装置３５０に当たって画像が見にくくなるのが低減される。
【００２４】
図３において、情報処理機器２００は、制御部１００、入力装置１１０、表示装置１１２、メモリ２０２、画像再生部２０４を含んでいる。メモリ２０２は、プログラム記憶領域、およびデータ記憶領域を含んでいる。制御部１００は、プロセッサまたはマイクロコンピュータであってもよい。制御部１００の制御機能は、ハードウェアとして集積回路の形態で実装されても、メモリ２０２に格納されるプログラムの形態で実装されていてもよい。この場合、制御部１００は、メモリ２０２に格納されるプログラムに従って動作する。
【００２５】
制御部１００は、ユーザによって入力装置１１０を介して入力または選択された再生番組またはコンテンツ識別情報に関する入力情報を、画像再生部２０４に供給する。制御部１００は、入力情報に従って、制御信号ＣＴＬとして番組またはコンテンツ選択情報を画像生成部２０４に供給してもよい。画像生成部２０４は、制御部１００の制御の下で、入力情報に従って、番組記憶媒体または記憶領域から番組の画像信号を取り出して再生成し、プロジェクタ２１０に供給する。プロジェクタ２１０は、その画像信号によって表される画像または映像を内部の液晶パネル上に生成し表示してスクリーン装置３５０に向けて投射する。プロジェクタ２１０とシャッタ装置２３０は、一体化された画像投射手段を形成してもよい。
【００２６】
画像／外光切換制御装置３００は、発振器（ＯＳＣ）３０２、３２２、３４２および３６２、デューティ比調整器またはパルス幅変調器（ＰＷＭ）３０４、３２４、３４４および３６４、および増幅器（ＡＭＰ）３０６、３２６、３４６および３６６を含んでいる。
【００２７】
発振器３０２、３２２、３４２および３６２は、情報処理装置２００の制御部１００からの制御信号ＣＴＬとしてのオン／オフ制御信号に従って、起動しまたは停止し、例えば３０Ｈｚ、６０Ｈｚ、１２０Ｈｚのような周期的なパルス信号を生成してデューティ比調整器３０４、３２４、３４４および３６４に供給する。そのパルス信号は、表示画像のフレーム周波数（例えば、３０Ｈｚ、６０Ｈｚ、９０Ｈｚ）と同期し、そのフレーム周波数の整数分の１（例えば、１／２、１／３）か、そのフレーム周波数と同じかまたはその倍数の周波数であることが好ましい。この場合、制御部１００は、画像再生部２０４からの画像信号のフレーム同期信号に従って、フレーム同期信号に同期したそのフレーム周波数の整数分の１かフレーム周波数と同じまたは倍数の周波数の同期信号を制御信号ＣＴＬとして発振器３０２、３２２、３４２および３６２に供給してもよい。発振器３０２、３２２、３４２および３６２は、その同期信号に同期してパルス信号を生成する。
【００２８】
デューティ比調整器３０４、３２４、３４４および３６４は、情報処理装置２００の制御部１００からの制御信号ＣＴＬとしてのデューティ比を表す信号に従って、発振器３０２、３２２、３４２および３６２のパルス信号のデューティ比を調整して、調整されたデューティ比を有するパルス信号を生成し増幅器３０６、３２６、３４６および３６６に供給する。増幅器３０６、３２６、３４６および３６６は、デューティ比調整器３０４、３２４、３４４および３６４からのパルス信号を増幅して駆動用のパルス信号ＰＳ＿Ａ、ＰＳ＿Ｂ、ＰＳ＿ＣおよびＰＳ＿Ｄを、シャッタ装置２３０、３３０、スクリーン装置３５０、シャッタ装置３７０に供給する。パルス信号ＰＳ＿Ａ、ＰＳ＿Ｂ、ＰＳ＿ＣおよびＰＳ＿Ｄは、スクリーン装置３５０およびシャッタ装置２３０、３３０、３７０の同期信号でもある。パルス信号ＰＳ＿Ｃおよび／またはＰＳ＿Ｄは、デューティ比調整器３２４からのパルス信号を増幅器３２６によって増幅したものであっても、パルス信号ＰＳ＿Ｂと同じであってもよい。また、発振器３０２だけを用いてもよく、即ち図３において発振器３０２が他の発振器３２２、３４２および３６２として用いられてもよい。
【００２９】
発振器３０２、３２２、３４２および３６２からのパルス信号が画像信号のフレーム同期信号に同期している場合には、パルス信号ＰＳ＿Ａ、ＰＳ＿Ｂ、ＰＳ＿ＣおよびＰＳ＿Ｄはフレーム同期信号に同期する。それによって、表示画像のフレーム周期とシャッタ装置２３０の開閉動作の周期とが同期し、不同期の場合に生じるであろうスクリーン装置３５０に表示される動画像の例えばちらつき等の不自然さ（アーティファクト）を防止または減少させることができる。
【００３０】
図２および３を参照すると、表示システムまたは表示装置１４は、要素１２０、２００、３００、３３０および３５０に加えて、図１のプロジェクタ２１０およびシャッタ装置２３０の代わりにＤＬＰ（Digital Light Processing）プロジェクタ２１２を含んでいる。表示システム１４は、さらに外部照度検出用の照度センサ１２０を含んでいてもよい。ＤＬＰプロジェクタ２１２は、光源、ダイクロイック・フィルタ、ピクセル単位で光源の光をスクリーン装置３５０へ向けて反射させおよびスクリーン装置３５０から逸らするためのＤＭＤ（Digital Micromirror Device）、および複数のレンズを含んでいる。
【００３１】
この場合、情報処理機器２００はＤＬＰプロジェクタ２１２に表示情報および制御信号ＣＴＬを供給する。ＤＬＰプロジェクタ２１２は、パルス信号ＰＳ＿Ａに応答して、画像または映像を生成して投射しまたはその生成を停止する。
【００３２】
ＤＬＰプロジェクタ２１２は、情報処理機器２００からの画像信号に従って、表示画像を表す画像をスクリーン装置３５０に投射する。画像／外光切換制御装置３００は、情報処理機器２００からの制御信号ＣＴＬに従って、ＤＬＰプロジェクタ２１２のＤＭＤの駆動用のパルス信号ＰＳ＿Ａを生成し、ＤＬＰプロジェクタ２１２に供給する。
【００３３】
図４Ａ〜４Ｄは、図３の画像／外光切換制御装置３００によって生成されるパルス信号ＰＳ＿Ａ、ＰＳ＿Ｂ、ＰＳ＿Ｃ、ＰＳ＿Ｄの波形の例を示している。これは、照度センサ１２０によって検出された照度の大きさが中間の大きさの場合に適用されてもよい。
【００３４】
図５Ａ〜５Ｃは、図３の画像／外光切換制御装置３００によって生成されるパルス信号ＰＳ＿Ａ、ＰＳ＿Ｂ、ＰＳ＿Ｃ、ＰＳ＿Ｄの波形の例を示している。これは、照度センサ１２０によって検出された照度の大きさが大きい（外が明るい）場合に適用されてもよい。
【００３５】
図６Ａ〜６Ｃは、図３の画像／外光切換制御装置３００によって生成されるパルス信号ＰＳ＿Ａ、ＰＳ＿Ｂ、ＰＳ＿Ｃ、ＰＳ＿Ｄの波形の例を示している。これは、照度センサ１２０によって検出された照度の大きさが小さい（外が暗い）場合に適用されてもよい。
【００３６】
図４Ａ、５Ａおよび６Ａにおいてパルス信号ＰＳ＿Ａが高レベルＨのとき、それに同期的に、図４Ｃ、５Ｃおよび６Ｃにおいてパルス信号ＰＳ＿Ｃが低レベルＬになり、図４Ｂ、５Ｂおよび６Ｂにおいてパルス信号ＰＳ＿Ｂが低レベルＬになる。この場合、それ（ＰＳ＿Ａ）に同期的に図４Ｄ、５Ｄおよび６Ｄにおいてパルス信号ＰＳ＿Ｄも低レベルＬになる。図３Ａ、４Ａおよび５Ａにおいてパルス信号ＰＳ＿Ａが低レベルＬの場合、それに同期的に、図４Ｃ、５Ｃおよび６Ｃにおいてパルス信号ＰＳ＿Ｂが高レベルＨになり、図４Ｂ、５Ｂおよび６Ｂにおいてパルス信号ＰＳ＿Ｃが高レベルＨになる。この場合、それ（ＰＳ＿Ａ）に同期的に図４Ｄ、５Ｄおよび６Ｄにおいてパルス信号ＰＳ＿Ｄも高レベルＨになる。
【００３７】
図４Ａ、５Ａおよび６Ａにおいて、パルス信号ＰＳ＿Ａが高レベルＨの場合、シャッタ装置２３０またはＤＬＰプロジェクタ２１２（ＤＭＤ）は、開状態または通過状態になって画像をスクリーン装置３５０に投射させる。図４Ｃ、５Ｃおよび６Ｃにおいて、パルス信号ＰＳ＿Ｃが低レベルＬの場合、スクリーン装置３５０は、閉状態または光学的散乱状態になって投射された画像を映す。図４Ｂ、５Ｂおよび６Ｂにおいて、パルス信号ＰＳ＿Ｂが低レベルＬのとき、シャッタ装置３３０は、閉状態になってスクリーン装置３５０から画像の漏光のルーム・ミラー４０への入射を遮断する。それによって、ドライバにとって画像表示によって後方の外の景色が見にくくなるのを防止する。図４Ｄ、５Ｄおよび６Ｄにおいて、パルス信号ＰＳ＿Ｄが低レベルＬのとき、シャッタ装置３７０は、閉状態になってスクリーン装置３５０上の表示画像の外側への出射と外側の光の内側への入射とを遮断する。
【００３８】
図４Ａ、５Ａおよび６Ａにおいて、パルス信号ＰＳ＿Ａが低レベルＬの場合、シャッタ装置２３０またはＤＬＰプロジェクタ２１２は、閉状態または遮断状態になって画像の投射を遮断する。図４Ｃ、５Ｃおよび６Ｃにおいて、パルス信号ＰＳ＿Ｃが高レベルＨの場合、スクリーン装置３５０は、開状態または光学的透過状態になって外からの光または景色を透過する。図４Ｂ、５Ｂおよび６Ｂにおいて、パルス信号ＰＳ＿Ｂが高レベルＨの場合、シャッタ装置３３０は、開状態または透過状態になってスクリーン装置３５０を透過した光または景色のルーム・ミラー４０への入射およびルーム・ミラー４０による反射を透過する。図４Ｄ、５Ｄおよび６Ｄにおいて、パルス信号ＰＳ＿Ｄが高レベルＨのとき、シャッタ装置３７０も、開状態または透過状態になって外からの光または景色を透過する。
【００３９】
図４Ａ〜４Ｄに示されているように、入力装置１１０の外光透過量設定に従ってまたは照度センサ１２０によって検出された照度の大きさが中間の場合、パルス信号ＰＳ＿Ａ、ＰＳ＿Ｂ、ＰＳ＿ＣおよびＰＳ＿Ｄのデューティ比またはパルス幅はそれぞれ中間状態を示す。それによって、スクリーン装置３５０による画像表示と透過が時分割的に等しい時間的割合で行われる。
【００４０】
図５Ａ〜５Ｄに示されているように、入力装置１１０の外光透過量設定に従ってまたは照度センサ１２０によって検出された照度の大きさが大きい場合、パルス信号ＰＳ＿Ａのデューティ比またはパルス幅は大きく、ＰＳ＿Ｂ、ＰＳ＿ＣおよびＰＳ＿Ｄのデューティ比またはパルス幅は小さい。それによって、スクリーン装置３５０による画像表示と透過が、表示時間が透過時間より長くなる割合で行われる。それによって、外の景色が明るい場合に、スクリーン装置３５０上の投射画像をより明るく表示することができる。
【００４１】
図６Ａ〜６Ｄに示されているように、入力装置１１０の外光透過量設定に従ってまたは照度センサ１２０によって検出された照度の大きさが小さい場合、パルス信号ＰＳ＿Ａのデューティ比またはパルス幅は小さく、ＰＳ＿Ｂ、ＰＳ＿ＣおよびＰＳ＿Ｄのデューティ比またはパルス幅は大きい。それによって、スクリーン装置３５０による画像表示と透過が、表示時間が透過時間より短くなる割合で行われる。それによって、外の景色が暗い場合に、スクリーン装置３５０を通して入射されルーム・ミラー４０に映る外側の景色をより明るくすることができる。
【００４２】
図７は、情報処理機器２００によって実行される、画像表示のための制御のフローチャートの例を示している。
【００４３】
図７を参照すると、ステップ５０２において、情報処理機器２００の制御部１００は、入力情報ＯＰの入力状態または画像再生部２０４の動作状態を参照して画像表示の状態がオン状態かどうかを判定する。画像表示の状態がオン状態であると判定された場合は、手順はステップ５０４に進む。画像表示の状態がオン状態でない、即ちオフ状態であると判定された場合は、手順は図７のルーチンを出る。
【００４４】
ステップ５０４において、制御部１００は、ユーザによる入力装置１１０からの入力情報ＯＰに従って再生すべき番組を選択する。
【００４５】
ステップ５０６において、制御部１００は、照度センサ１２０から照度の大きさを表す信号または入力装置１１０からの外光透過量設定を取得する。ステップ５０８において、制御部１００は、照度の大きさまたは外光透過量設定に応じてパルス信号ＰＳ＿Ａ、ＰＳ＿Ｂ、ＰＳ＿ＣおよびＰＳ＿Ｄのデューティ比を決定する。
【００４６】
ステップ５１０において、制御部１００は、プロジェクタ２１０またはＤＬＰプロジェクタ２１２、および画像／外光切換制御装置３００を起動する。ステップ５１１において、制御部１００は、デューティ比を表す制御信号ＣＴＬを画像／外光切換制御装置３００に供給する。画像／外光切換制御装置３００は、デューティ比に応じてパルス幅調整されたパルス信号ＰＳ＿Ａ、ＰＳ＿Ｂ、ＰＳ＿ＣおよびＰＳ＿Ｄを供給する。
【００４７】
ステップ５１２において、制御部１００は、入力情報ＯＰの入力状態または画像再生部２０４の動作状態を参照して画像表示がオフ状態かどうかを判定する。画像表示がオフ状態であると判定された場合は、手順はステップ５２４に進む。ステップ５１１（パルス発生）〜５１２は、画像表示がオフ状態であると判定されるまで繰り返される。
【００４８】
ステップ５２４において、制御部１００は、プロジェクタ２１０またはＤＬＰプロジェクタ２１２、および画像／外光切換制御装置３００を停止して、投射画像およびパルス信号ＰＳ＿Ａ、ＰＳ＿Ｂ、ＰＳ＿ＣおよびＰＳ＿Ｄの発生を停止させる。その後、手順は図７のルーチンを出る。
【００４９】
図１および２に示されているように、プロジェクタ２１０またはＤＬＰプロジェクタ２１２が停止しスクリーン装置３５０が使用されない場合には、スクリーン装置３５０は、破線で示された自動車２の天井側の位置に回転させて収納することができるようにすることが好ましい。
【００５０】
図８は、自動車２が停車して運転されていない状態にある場合におけるスクリーン装置３５０の可能な配置を示している。この場合、自動車２は映写室として使用することができ、スクリーン装置３５０を図示のような車内のフロント・ウィンドウ（前部窓）側に配置し、前列シート７０２を倒すことによって、スクリーン装置３５０を後列シート７０４から見やすくすることができる。この場合、情報処理機器２００は、ドライバまたは乗客の操作ＯＰに従って、外からの光がスクリーン装置３５０に当たるのを防止するために、シャッタ装置３７０を完全に閉状態にすることが好ましい。
【００５１】
図９Ａおよび９Ｂは、自動車２の天井への取り付け形態の例を示すスクリーン装置３５０のそれぞれ正面図および左側面図である。自動車２の天井に取り付けられた固定部材６０２の底面に、スクリーン装置３５０がその上辺側面の中央でヒンジ部材６１０を用いて取り付けられている。代替形態として、スクリーン装置３５０は、その上辺側面に沿って、固定部材６０２の底面の複数の位置に複数のヒンジ部材６１０を用いて取り付けられてもよい。固定部材６０２は、自動車２の天井の異なる複数の位置に着脱可能な形態で固定されてもよい。スクリーン装置３５０は、ドライバまたは乗客によって回転され動かされて、固定部材６０２に対して前後１８０度の範囲の任意の角度位置にヒンジ部材６１０によって保持され固定される。
【００５２】
図９Ｃは、図９Ａおよび９Ｂに示されたヒンジ部材６１０のより具体的な構成の例を示している。ヒンジ部材６１０は、左右端部の円柱状の凹所を有する部材６１４および６１６と、中間の環状部材（リング）６１２と、軸（シャフト）６１８とを有する。軸６１８は、回転可能な形態で環状部材６１２の開孔を通されて、その両端部が部材６１４および６１６の凹所にそれぞれ挿入され固定される。部材６１４および６１６の外周面の頂部分は固定部材６０２の底面の中央に固定される。環状部材６１２の外周面の底部分はスクリーン装置３５０の上辺側面に固定される。
【００５３】
ここで挙げた全ての例および条件的表現は、発明者が技術促進に貢献した発明および概念を読者が理解するのを助けるためのものであり、ここで具体的に挙げたそのような例および条件に限定することなく解釈されるものである。また、明細書におけるそのような例の編成は本発明の優劣を示すこととは関係ない。本発明の実施形態を詳細に説明したが、本発明の精神および範囲から逸脱することなく、それに対して種々の変更、置換および変形を施すことができる。
【００５４】
以上の実施例を含む実施形態に関して、さらに以下の付記を開示する。
（付記１）  運転席後方の映像を映すミラーが該運転席の前方に配置された室内における画像表示装置において、
前記運転席より後方に配置されたスクリーンと、
前記スクリーンにその後方から画像を投影する投影手段と、
前記ミラーの前面に配置されたシャッタと、
前記シャッタ及び前記スクリーンの光透過状態と光散乱状態を可逆的に且つそれぞれ同期的に変化させるとともに、前記スクリーンの光散乱状態に同期的に前記投影手段からの画像を投影させる制御部と、
を有することを特徴とする画像表示装置。
（付記２）  前記投影手段は、
連続的に画像を投影する投影装置と、
前記画像の前記スクリーンへの投影を前記制御部からの同期信号に従って制御し、前記投影装置からの画像を前記スクリーンに投影させる第２のシャッタと、
を有するものであることを特徴とする、付記１に記載の画像表示装置。
（付記３）  さらに、前記室内の後部窓に、前記ミラーに配置された前記シャッタと同期して光透過状態と光散乱状態を可逆的に変化させる第３のシャッタを有することを特徴とする、付記１または２に記載の画像表示装置。
（付記４）  前記スクリーンを保持して前記室内の天井に固定し、前記スクリーンの固定角度を変更可能に設定する固定手段を有することを特徴とする、付記１乃至３のいずれかに記載の画像表示装置。
【符号の説明】
【００５５】
１２、１４  表示システム
３０  リア・ウィンドウ
４０  ルーム・ミラー
１２０  照度センサ
２００  情報処理機器
１００  制御部
１１０  入力装置
１１２  表示装置
２０２  メモリ
２０４  映像生成部
２１０  プロジェクタ
２１２  ＤＬＰプロジェクタ
２３０  シャッタ装置
３００  画像／外光切換制御装置
３３０  シャッタ装置
３５０  スクリーン装置
３７０  シャッタ装置
【図１】
0005515907.tif 000002
【図２】
0005515907.tif 000003
【図３】
0005515907.tif 000004
【図４】
0005515907.tif 000005
【図５】
0005515907.tif 000006
【図６】
0005515907.tif 000007
【図７】
0005515907.tif 000008